(57)【要約】【課題】キャップに取り付けられた塗布具を容器本体に挿入し、容器本体に収容されている液状化粧料を付着させる液状化粧料塗布容器において、使いきれずに容器本体内に残存する化粧料を低減させる。【解決手段】化粧料塗布容器１が、液状化粧料Ａを収容する有底筒状の容器本体２、容器本体２の上端開口部を密閉するキャップ１０、キャップ１０に取り付けられた塗布具２０を有する。塗布具２０は、キャップ１０から突出する軸部２１と、軸部２１に連設して容器本体２に挿入可能に形成された塗布部２３とを有し、キャップ１０はその上端部のキャップ回転部１２がキャップ胴部に対して回転可能に形成されている。キャップ１０内には、キャップ上端部の回転により塗布具２０の軸部２１のキャップ１０からの突出長を伸縮させる繰り出し機構が設けられている。【選択図】図４Ｂ
2013138760.tif 000002
【特許請求の範囲】
【請求項１】
液状化粧料を収容する有底筒状の容器本体、容器本体の上端開口部を密閉するキャップ、及びキャップに取り付けられた塗布具を有する化粧料塗布容器であって、塗布具は、容器本体に挿入可能に形成された塗布部と該塗布部に連設した軸部を有し、キャップは、その上端部がキャップ胴部に対して回転可能に形成され、キャップ内に、キャップ上端部の回転により塗布具を軸部の長手方向に移動させ、キャップで容器本体の上端開口部を閉じた状態における容器本体内の塗布具長を伸縮させる繰り出し機構が設けられている化粧料塗布容器。
【請求項２】
繰り出し機構において、塗布具のキャップ側端部と、キャップ上端部からキャップ内部へ垂下した筒状壁とが螺合している請求項１記載の化粧料塗布容器。
【請求項３】
前記塗布具長の伸長時にキャップで容器本体の上端開口部を閉じた状態において、塗布具の塗布部が、容器本体内の底面に到達する請求項１又は２記載の化粧料塗布容器。
【請求項４】
前記塗布具長の縮長時にキャップで容器本体の上端開口部を閉じた状態において、塗布具の塗布部と容器本体内の底面との間に間隙があく請求項１又は２記載の化粧料塗布容器。
【発明の詳細な説明】
【技術分野】
【０００１】
本発明は、塗布具を備えた液状化粧料の容器に関する。
【背景技術】
【０００２】
液状口紅、マスカラ、マニキュア等の液状化粧料の塗布容器として、液状化粧料を収容する有底筒状の容器本体とキャップからなり、キャップに、容器本体に挿入される塗布具が取り付けられたものが広く使用されている。この塗布容器では、キャップを閉めた状態で容器本体内に塗布具の一端が挿入され、キャップを容器本体から取り外した状態でキャップが塗布具の把持部として使用され、該塗布具の一端に付着している化粧料が塗布される。
【０００３】
このような化粧料塗布容器を、収納時には小さくコンパクトにし、使用時には十分な長さにして使い勝手が向上するように、キャップの開閉動作により、把持部を含めた塗布具の全長が伸縮するようにしたものが提案されている（特許文献１）。
【先行技術文献】
【特許文献】
【０００４】
【特許文献１】特開2010-88516号公報
【発明の概要】
【発明が解決しようとする課題】
【０００５】
しかしながら、従来、上述の化粧料塗布容器を用いて液状化粧料を繰り返し塗布することにより、容器本体に挿入した塗布具には、もはや液状化粧料が付着しなくなった場合でも、容器本体内には、当初の液状化粧料の約２０質量％程度が使い切れずに残存しているという問題がある。この使い切れない化粧料残量の問題は、低粘度の化粧料に比して高粘度の化粧料で起こりやすく、さらに化粧料が降伏値を有する場合には、容器本体を傾けただけでは化粧料が容器本体内で殆ど流動しないため一層顕著となる。そして、化粧料残存の問題は、塗布具の伸縮により使い勝手を向上させたもの（特許文献１）によっても改善することができない。
【０００６】
これに対し、本発明は、キャップに取り付けられた塗布具を容器本体に挿入し、容器本体に収容されている液状化粧料を付着させる液状化粧料塗布容器において、塗布具を容器本体に挿入することによっては使用することができない容器本体内の残存化粧料を低減させることを目的とする。
【課題を解決するための手段】
【０００７】
本発明者は、前述の特許文献１に記載の塗布具は、キャップの開閉動作により塗布具全体としては伸縮するが、容器本体に挿入しうる部分の長さは変わらないことに鑑み、キャップ内に塗布具の繰り出し機構を設け、塗布具のうち容器本体に挿入し得る部分の長さを伸長できるようにすると、容器本体に残存する化粧料を低減できることを想到した。
【０００８】
即ち、本発明は、液状化粧料を収容する有底筒状の容器本体、容器本体の上端開口部を密閉するキャップ、及びキャップに取り付けられた塗布具を有する化粧料塗布容器であって、塗布具は、容器本体に挿入可能に形成された塗布部と該塗布部に連設した軸部を有し、キャップは、その上端部がキャップ胴部に対して回転可能に形成され、キャップ内に、キャップ上端部の回転により塗布具を軸部の長手方向に移動させ、キャップで容器本体の上端開口部を閉じた状態における容器本体内の塗布具長を伸縮させる繰り出し機構が設けられている化粧料塗布容器を提供する。
【発明の効果】
【０００９】
本発明によれば、キャップ上端部を回転させると、繰り出し機構により、キャップで容器本体の上端開口部を閉じた状態における容器本体内の塗布具長が伸縮する。したがって、容器本体内の化粧料の残量が少なくなり、塗布具に化粧料が付着しにくくなった場合には、キャップで容器本体の上端開口部を閉じたときの容器本体内の塗布具長を伸長させて塗布具の先端部の塗布部を容器本体内の底部に到達させることができる。これにより、容器本体内の底部に残存している化粧料を塗布部で掻き取りあるいは塗布部に付着させて使用することが可能となる。よって、化粧料が降伏値を有したり、高粘度であったりすることにより、流動性が極めて低いものであっても、使い切れない化粧料残量を低減させることができる。
【図面の簡単な説明】
【００１０】
【図１Ａ】図１Ａは、実施例の化粧料塗布容器においてキャップを閉じた状態の斜視図である。
【図１Ｂ】図１Ｂは、図１Ａの断面図である。
【図２】図２は、実施例の化粧料塗布容器においてキャップを外した状態の斜視図である。
【図３】図３は、実施例の化粧料塗布容器の塗布具とキャップの分解図である。
【図４Ａ】図４Ａは、実施例の化粧料塗布容器における、塗布具のキャップ側端部とキャップ上端部から垂下した筒状壁との螺合状態（初期状態）を示す斜視図である。
【図４Ｂ】図４Ｂは、実施例の化粧料塗布容器における、塗布具のキャップ側端部とキャップ上端部から垂下した筒状壁との螺合状態（伸長時）を示す斜視図である。
【図５Ａ】図５Ａは、軸部を伸長させた状態の化粧料塗布容器の斜視図である。
【図５Ｂ】図５Ｂは、軸部を伸長させた状態の化粧料塗布容器の断面図である。
【図６】図６は塗布部の変形態様の斜視図である。
【発明を実施するための形態】
【００１１】
以下、図面を参照しつつ本発明を詳細に説明する。なお、各図中、同一符号は同一又は同等の構成要素を表している。
【００１２】
図１Ａは、本発明の一実施例の化粧料塗布容器１の斜視図であり、図１Ｂはその断面図である。図２は、この化粧料塗布容器１において容器本体２からキャップ１０を外した状態の斜視図である。
【００１３】
この化粧料塗布容器１は、液状口紅、マスカラ、マニキュア等の液状化粧料、特に、降伏値の測定器の押し具（先端径5mm）を2cm/minの速度で当てた場合の降伏値が1〜100gfの範囲の流動しにくい化粧料、あるいは高粘度の液状化粧料で、容器本体内の隅に残存しやすいものの容器として好適に使用される。
【００１４】
化粧料塗布容器１は、有底筒状で上端部に開口部を有する容器本体２と、容器本体２の上端開口部に冠着されたしごき部３と、容器本体２の上端開口部を密閉するキャップ１０とを有する。
【００１５】
容器本体２は、内部の化粧料残量を透視出来る程度に透明な樹脂から形成されている。また容器本体２は、底面内側の形状が、周縁部に対して中央部がもちあがった湾曲形状であることが好ましい。これにより、容器本体２内で使い切れずに残存する化粧料を低減させることができる。
【００１６】
しごき部３は、弾性材料から形成され、容器本体の上端部に取り付けられた状態で、上端面から容器本体内部に向かって縮径するロート状に成形されている。容器本体内２に挿入された塗布具２０から余分な液状化粧料をしごき取り、塗布具２０の先端の塗布部２３に適量の液状化粧料を付着させるために設けられている。
【００１７】
キャップ１０は、図３に示すように、キャップ１０の胴部を形成するキャップ筒状体１１とキャップ１０の上端部を形成するキャップ回転部１２を有する。
【００１８】
キャップ筒状体１１には、その上端開口部１１ａから挿入された塗布具２０が、下端開口部１１ｂ側へ抜け出ないように、仕切板１３が設けられている。また、仕切板１３の中央部には例えば鍵穴状の穴１４が形成されている。この穴１４は、塗布具２０の軸部２１に設けられたリブ２２と係合することにより、軸部２１の回転を規制する。
【００１９】
キャップ回転部１２は、キャップ１０の上端部を形成する頂板１５と、頂板１５から垂下した筒状壁１６を有する。筒状壁１６の内面には、塗布具２０の上端部と螺合するねじ山が形成されている。また、筒状壁１６には、キャップ筒状体１１との嵌合のため、筒状壁１６の軸方向に複数のスリット１７が設けられ、撓み変形しやすくしている。
【００２０】
キャップ回転部１２は、その筒状壁１６が筒状体１１の上端開口部１１ａに嵌め込まれ、キャップ筒状体１１の長手方向の中心軸Ｌ（図２）を回転軸として回転可能とされる。
【００２１】
一方、塗布具２０は、軸部２１の一端に塗布部２３が連設され、他端に大径部２４を有する。塗布部２３は、しごき部３及び容器本体２に挿入可能に形成されている。塗布部２３の具体的な形状は、この化粧料塗布用器１が、液状口紅の塗布に使用されるのか、マスカラの塗布に使用されるのかといった用途や、液状化粧料の物性などに応じて適宜定められ、例えば、図示したように扁平な匙形状とすることができ、その表面はフロッキー加工面とすることができる。塗布部２３の材料は、弾性変形可能なものが好ましい。
【００２２】
また、大径部２４の表面には、前述のキャップ回転部１２の筒状壁１６と螺合するねじ溝が形成されている。軸部２１の表面には、前述のリブ２２が形成されている。
【００２３】
本実施例において、塗布具２０が取り付けられたキャップ１０は、図４Ａに示すように、キャップ回転部１２の筒状壁１６と塗布具２０の大径部２４を螺合させ、それをキャップ筒状体１１に、その上端開口部１１ａから嵌め込むことにより形成される。
【００２４】
また、本実施例において、キャップ１０で容器本体２の上端開口部を閉じた状態における容器本体２内における塗布具長Ｌ1（図１Ｂ）を、塗布具２０を軸部２１の長手方向に移動させることにより伸縮させる繰り出し機構は、上述した、軸部２１のキャップ側端部の大径部２４と、キャップ１０の筒状壁１６との螺合と、塗布具２０の回転を規制するリブ２２と穴１４の係合により実現される。
【００２５】
即ち、キャップ１０のキャップ筒状体１１と頂板１５をそれぞれ把持し、図４Ｂに示すように、キャップ回転部１２が、塗布具２０の大径部２４から抜ける向きに頂板１５を回転させる。塗布具２０は、その大径部２４がキャップ筒状壁１６と螺合しているが、リブ２２と穴１４の係合により塗布具２０の回転が規制されるので、キャップ筒状体１１に対して頂板１５を回転させることにより、塗布具２０はキャップ筒状体１１内を塗布部２３側に移動する。これにより、塗布具２０が取り付けられたキャップ１０において、塗布具２０の軸部２１がその長手方向に繰り出され、キャップ１０から突出した部分が伸長した状態となる。これに対し、キャップ筒状体１１に対して頂板１５を反対側に回転させると、塗布具２０は頂板１５側に移動し、軸部２１のうち、キャップ１０から突出した部分を短くすることができる。
【００２６】
この化粧料塗布容器１は次のように使用される。まず、容器本体２内に十分な液状化粧料Ａが収容されている状態では、塗布具２０の大径部２４と、キャップ１０の筒状壁１６とを深く螺合させた状態とし、図１Ｂ、図４Ａに示すように、キャップ１０で容器本体２の上端開口部を閉じた状態において、塗布具２１の塗布部２３と容器本体２の底面との間に僅かに間隙があくようにする。これにより、塗布具２０を容器本体２に挿入し、キャップ１０で容器本体２を密閉する化粧料塗布用器の保管時において、塗布部２３が容器底部に接触して撓むなどにより無用に変形することを防止する。
【００２７】
この取付状態で塗布具２０を使用していると、容器本体２内の液状化粧料Ａは次第に減少し、図１Ｂに示すように、液状化粧料Ａが容器本体２の底部隅部に残存し、塗布部２３が届かなくなるため、液状化粧料Ａを付着させることが困難となる。そこで、キャップ回転部１２を回転させることにより、塗布具２０を塗布部２３側に移動させる。この状態で塗布具２０を容器本体２に挿入し、キャップ１０で容器本体２の上端開口部を閉じた状態にすると、容器本体２内の塗布具長Ｌ1は伸長した状態にあるから、図５Ａ、図５Ｂに示すように、塗布具２０の塗布部２３が容器本体２の底面に到達し、塗布部２３が撓む。そこで、容器本体２０の底部に残存している液状化粧料Ａを塗布部２３で掻き取ったり塗布部２３に付着させたりすることが可能となる。したがって、この化粧料塗布用器１によれば、使い切れない化粧料残量を顕著に低減させることができる。
【００２８】
本発明は、種々の態様をとることができる。
例えば、塗布具の繰り出し機構は、上述した構成にかぎらず、スティック状の口紅の繰り出しに使用されている種々の繰り出し機構を使用することができる。また、塗布部２３としては、フロッキーな表面を有する匙状のものに限らず、例えば、図６に示す、リング状のものとしてもよく、ブラシ状のものとしてもよい（図示せず）。
【符号の説明】
【００２９】
１    化粧料塗布容器
２    容器本体
３    しごき部
１０    キャップ
１１    キャップ筒状体
１１ａ  上端開口部
１１ｂ  下端開口部
１２    キャップ回転部
１３    仕切板
１４    穴
１５    頂板
１６    筒状壁
１７    スリット
２０    塗布具
２１    軸部
２２    リブ
２３    塗布部
２４    大径部
Ａ    液状化粧料
Ｌ    軸
【図１Ａ】
2013138760.tif 000003
【図１Ｂ】
2013138760.tif 000004
【図２】
2013138760.tif 000005
【図３】
2013138760.tif 000006
【図４Ａ】
2013138760.tif 000007
【図４Ｂ】
2013138760.tif 000008
【図５Ａ】
2013138760.tif 000009
【図５Ｂ】
2013138760.tif 000010
【図６】
2013138760.tif 000011